(57)【要約】【課題】  部品点数が少なくなるとともに、構造が単純になるラジエータキャップを提供すること。【解決手段】  ラジエータ１０の注水口１５に取り付けられるラジエータキャップ２０を、キャップ本体２１と、下部リテーナ２３と、ゴム製のガスケット２５と、加圧ばね２４とで構成した。下部リテーナ２３は、上部吸引孔２３ｄが形成された加圧プレート２３ａを備え、加圧シール部１５ｂとキャップ本体２１との間に配置される。ガスケット２５は、下部吸引孔２５ｂを備えており、上部吸引孔２３ｄを塞いで加圧プレート２３ａの下面に設置され、上部吸引孔２３ｄを介して所定の圧力を受けることにより撓んで、下部吸引孔２５ｂと上部吸引孔２３ｄを連通させる。加圧ばね２４は、加圧プレート２３ａを介してガスケット２５を加圧シール部１５ｂに押圧する。【選択図】  図２
2013185445.tif 000002
【特許請求の範囲】
【請求項１】
冷却水を収容する容器の上部に設けられ、側部に外部に連通する通路が形成され、内部下部側に細径部が形成された筒状の注水口に取り付けられるラジエータキャップにおいて、
前記注水口の開口部に着脱可能に取り付けられるキャップ本体と、
上下に貫通する上部吸引孔が形成された加圧プレートを備え、前記細径部と前記キャップ本体との間に上下移動可能に配置されたリテーナと、
上下に貫通する下部吸引孔を備え、前記下部吸引孔の位置を前記上部吸引孔の位置とずらし前記上部吸引孔を塞いだ状態で前記加圧プレートの下面に設置され、前記上部吸引孔を介して所定の圧力を受けることにより撓んで、前記下部吸引孔と前記上部吸引孔とを連通させるゴム製のガスケットと、
前記キャップ本体と前記リテーナとの間に配置され、前記加圧プレートを介して前記ガスケットを前記細径部に押圧することにより前記容器を閉塞する加圧ばねとを備えたことを特徴とするラジエータキャップ。
【請求項２】
前記上部吸引孔を、前記加圧プレートの中心部を中心とした円に沿って互いに間隔を保って形成された平面視が円弧状の複数の孔で構成した請求項１に記載のラジエータキャップ。
【請求項３】
前記下部吸引孔を、前記ガスケットの中心部を中心とした円に沿って互いに間隔を保って形成された平面視が円形の複数の孔で構成した請求項１または２に記載のラジエータキャップ。
【請求項４】
前記加圧プレートの中央部に上部中心穴を形成するとともに、前記ガスケットの中央部に下部中心穴を形成し、前記上部中心穴と前記下部中心穴に挿通して、前記加圧プレートの前記上部中心穴の周縁部と前記ガスケットの前記下部中心穴の周縁部とを上下から挟持することのできる軸状組付部材で前記加圧プレートと前記ガスケットとを組み付けた請求項１ないし３のうちのいずれか一つに記載のラジエータキャップ。
【請求項５】
前記加圧プレートの外周部と前記ガスケットの外周部とを上下から挟持することのできる組付部材で、前記加圧プレートと前記ガスケットとを組み付けた請求項１ないし３のうちのいずれか一つに記載のラジエータキャップ。
【請求項６】
前記容器を、ラジエータと前記ラジエータに連通するリザーブタンクとを備えたラジエータ装置の前記ラジエータまたは前記リザーブタンクで構成した請求項１ないし５のうちのいずれかに記載のラジエータキャップ。
【発明の詳細な説明】
【技術分野】
【０００１】
本発明は、ラジエータやリザーブタンクなどからなる冷却水を収容する容器の上部に設けられた筒状の注水口に取り付けられるラジエータキャップに関する。
【背景技術】
【０００２】
従来から、エンジンの冷却に使用されるラジエータや、ラジエータに接続されたリザーブタンクの上部には、筒状の注水口が設けられており、この注水口にラジエータキャップが着脱可能に取り付けられている。（例えば、特許文献１参照）。このラジエータキャップ（圧力調整キャップ）は、オーバーフローパイプによりリザーブタンクに接続されたラジエータの注水口に取り付けられている。そして、このラジエータキャップには、リザーブタンクから冷却水を導入するための吸水口と、ラジエータの冷却水または空気をオーバーフローさせるための出水口とが形成されたキャップ本体が備わっている。また、キャップ本体の開口付近の内部側には、連通穴を備えた環状の内壁が形成され、その内壁の上に、円板状の加圧プレートと、加圧プレートの下面に固着された円板状のゴム部材とからなる加圧弁が配置されている。
【０００３】
加圧弁の中央には、上下に貫通する穴が形成されており、その穴に環状のリテーナが取り付けられている。また、キャップ本体と加圧弁との間には、加圧弁を内壁に押圧するばねが介装され、加圧弁の下には、円板状のゴム部材とそのゴム部材の外周に固着された可撓部材とからなる負圧弁が配置されている。そして、負圧弁には、上下に貫通する複数の連通穴と、ゴム部材の中央からリテーナ内を貫通して上方に延びる軸部とが形成されており、軸部の上端にはフランジが形成されている。このフランジとリテーナとの間には、負圧弁を加圧弁に圧接させるばねが介装されている。また、負圧弁の周縁は、キャップ本体の開口周縁（内壁の下方）に固定されている。
【０００４】
このため、ラジエータ内の圧力が上昇すると、負圧弁の連通穴を介して加圧弁に圧力が加わり、加圧弁が上方に押し上げられる。このとき、ラジエータ内の冷却水は、負圧弁の連通穴から、加圧弁と内壁との隙間およびリテーナと軸部との隙間を通り、出水口を通過してリザーブタンクに流れていく。また、ラジエータ内が負圧になると、負圧弁が下方に引っ張られて加圧弁から離れる。これによって、リザーブタンク内の冷却水は、出水口から内壁の連通穴およびリテーナと軸部との隙間を通り、負圧弁の連通穴を通過してラジエータ内に流れていく。
【先行技術文献】
【特許文献】
【０００５】
【特許文献１】特開平６−１０９１６５号公報
【発明の概要】
【０００６】
しかしながら、前述した従来のラジエータキャップでは、ラジエータ内を所定の高圧状態に維持するために設けた、加圧弁、負圧弁およびキャップ本体と加圧弁との間に配置されたばねの他、ラジエータ内を所定の負圧状態に維持するために設けた、上端にフランジが形成された軸部、リテーナ、およびフランジとリテーナとの間に配置されたばねなどが必要になる。このため、部品点数が多くなり、構造も複雑になるという問題がある。
【０００７】
本発明は、このような問題に対処するためになされたもので、その目的は、部品点数が少なくなるとともに、構造が単純になるラジエータキャップを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明に係るラジエータキャップの構成上の特徴は、冷却水を収容する容器（１０，９１）の上部に設けられ、側部に外部（１１）に連通する通路（１６）が形成され、内部下部側に細径部（１５ｂ）が形成された筒状の注水口（１５，９５）に取り付けられるラジエータキャップ（２０，３０，４０，５０，６０，７０，８０）において、注水口の開口部に着脱可能に取り付けられるキャップ本体（２１）と、上下に貫通する上部吸引孔（２３ｄ，６３ｄ）が形成された加圧プレート（２３ａ，３３ａ，４３ａ，６３ａ，７３ａ，８３ａ）を備え、細径部とキャップ本体との間に上下移動可能に配置されたリテーナ（２３，３３，４３，６３，７３，８３）と、上下に貫通する下部吸引孔（２５ｂ）を備え、下部吸引孔の位置を上部吸引孔の位置とずらし上部吸引孔を塞いだ状態で加圧プレートの下面に設置され、上部吸引孔を介して所定の圧力を受けることにより撓んで、下部吸引孔と上部吸引孔とを連通させるゴム製のガスケット（２５，５５，６５，７５）と、キャップ本体とリテーナとの間に配置され、加圧プレートを介してガスケットを細径部に押圧することにより容器を閉塞する加圧ばね（２４，３４，８４）とを備えたことにある。
【０００９】
本発明に係るラジエータキャップでは、ガスケットを可撓性を有するゴムで構成し、このガスケットをリテーナの加圧プレートを介して加圧ばねで注水口の細径部に押し付けることにより容器を閉塞するようにしている。このため、ガスケットを上方に押し上げようとする容器内の圧力が加圧ばねの押圧力よりも小さいときには、容器は閉塞状態に維持される。そして、容器内の圧力が加圧ばねの押圧力以上になると、容器内の圧力によってガスケットはリテーナの加圧プレートに押し付けられ、加圧ばねの押圧力に抗してリテーナを上昇させる。これによって、容器内の冷却水、水蒸気または空気からなる流体が細径部の周縁部とガスケットとの間を通過して通路から外部に放出される。
【００１０】
また、容器内の圧力が外部の圧力よりも低い負圧の場合には、ガスケットは容器の内部側に吸引される。このとき、容器内の負圧による吸引力が、ガスケットを変形させるために必要な力よりも小さいときには、容器は閉塞状態に維持される。そして、容器内の負圧による吸引力が、ガスケットを変形させるために必要な力よりも大きくなると、容器内からの吸引力によってガスケットの少なくとも一部が変形してリテーナの加圧プレートから離れていく。これによって、外部から通路に入った流体が、加圧プレートの上部吸引孔およびガスケットの下部吸引孔を通過して容器内に吸引される。
【００１１】
このように、容器内の圧力に応じて、容器内から流体を外部に放出したり、容器内に外部から流体を吸引したりすることにより、容器内の圧力を一定の範囲に調整することができる。これによって、容器が破損することを防止できる。また、本発明では、ガスケットをリテーナの加圧プレートに押し付けて上部吸引孔と下部吸引孔とを閉塞させたり、ガスケットの少なくとも一部を加圧プレートの下面から離して上部吸引孔と下部吸引孔とを連通させたりするために、ばねやそのばねを取り付けるための部材を用いない。
【００１２】
このため、ラジエータキャップを構成する部品の点数が少なくなるとともに、ラジエータキャップの構造が単純になる。すなわち、本発明は、ばねに代えてゴムからなるガスケットの弾性を利用したものであり、容器内が負圧のときに開弁させる方法に特徴を有するものである。なお、キャップ本体とリテーナとの間に配置される加圧ばねは、キャップ本体とリテーナとに直接接した状態で配置されていてもよいし、他の部材を介して配置されていてもよいものとする。
【００１３】
また、本発明に係るラジエータキャップの他の構成上の特徴は、上部吸引孔を、加圧プレートの中心部を中心とした円に沿って互いに間隔を保って形成された平面視が円弧状の複数の孔で構成したことにある。
【００１４】
この場合の加圧プレートの中心部を中心とした円とは、加圧プレートの中心部と外周部との間に位置する任意の仮想円である。本発明によると、円周方向に延びるように上部吸引孔が形成されているため、容器内が負圧のときに、外部から流れてくる流体が円周方向の一部に偏ることなく均等に分散して上部吸引孔を通過するようになる。これによって、容器内の負圧が一定の値になった時に正確に開弁が開始するようになる。
【００１５】
また、本発明に係るラジエータキャップのさらに他の構成上の特徴は、下部吸引孔を、ガスケットの中心部を中心とした円に沿って互いに間隔を保って形成された平面視が円形の複数の孔で構成したことにある。
【００１６】
この場合のガスケットの中心部を中心とした円も、ガスケットの中心部と外周部との間に位置する任意の仮想円である。本発明によると、ガスケットの下面の面積に対する下部吸引孔の開口の面積は小さいため、容器内の圧力が、下部吸引孔を介して加圧プレートを上昇させようとする力よりもガスケットを加圧プレートに押し付ける力の方が大きくなる。このため、容器内が高圧のときに、ガスケットが加圧プレートに押し付けられて上部吸引孔と下部吸引孔との間が確実に閉塞される。また、容器内が負圧のときには、ガスケットにおける少なくとも下部吸引孔の近傍部分が下方に撓んで、上部吸引孔を通過して流れてくる流体は下部吸引孔を通って容器内に吸引される。
【００１７】
本発明に係るラジエータキャップのさらに他の構成上の特徴は、加圧プレート（２３ａ，３３ａ，４３ａ，６３ａ）の中央部に上部中心穴（２３ｃ，４３ｃ，８３ｃ）を形成するとともに、ガスケット（２５，５５，６５）の中央部に下部中心穴（２５ａ）を形成し、上部中心穴と下部中心穴に挿通して、加圧プレートの上部中心穴の周縁部とガスケットの下部中心穴の周縁部とを上下から挟持することのできる軸状組付部材で加圧プレートとガスケットとを組み付けたことにある。
【００１８】
本発明に係る軸状組付部材とは、加圧プレートの上部中心穴とガスケットの下部中心穴との内部に位置する軸状部分と、加圧プレートの上面における上部中心穴の周縁部に係合する部分と、ガスケットの下面における下部中心穴の周縁部に係合する部分とを備えた部材である。本発明では、容器内からの吸引力によって変形するガスケットの一部は、ガスケットの中央部よりも外周側の部分となる。なお、本発明に係る上部中心穴を前述した上部吸引孔として利用することもできる。
【００１９】
本発明に係るラジエータキャップのさらに他の構成上の特徴は、加圧プレート（７３ａ，８３ａ）の外周部とガスケット（７５，８５）の外周部とを上下から挟持することのできる組付部材（７６）で、加圧プレートとガスケットとを組み付けたことにある。
【００２０】
本発明に係る組付部材は、加圧プレートとガスケットとの外周部分を固定できれば、どのような部材でもよい。例えば、加圧プレートとガスケットとの外周面に位置する部分と、加圧プレートの上面における外周部に係合する部分と、ガスケットの下面における外周部に係合する部分とを備えたリング状の部材を用いることができる。また、加圧プレートとガスケットとの外周縁部に取り付けられる複数のコ字状の部材や、ステープラーのような加圧プレートとガスケットとの外周部分に刺し込むことのできる部材を用いることもできる。本発明では、容器内からの吸引力によって変形するガスケットの一部は、ガスケットの中央側の部分となる。
【００２１】
また、本発明に係るラジエータキャップの他の構成上の特徴は、容器を、ラジエータとラジエータに連通するリザーブタンクとを備えたラジエータ装置のラジエータ（１０）またはリザーブタンク（９１）で構成したことにある。
【００２２】
本発明に係るラジエータキャップは、例えば、リザーブタンクの上部空間が外部に連通した簡易密閉式ラジエータ装置のラジエータまたはリザーブタンクが外部に対して密閉された完全密閉式ラジエータ装置のリザーブタンクに取り付けられる。そして、簡易密閉式ラジエータ装置のラジエータにラジエータキャップを取り付けたときには、ラジエータ内が所定の高圧になったときに、ラジエータから放出される流体は、細径部とガスケットとの間を通過して通路からリザーブタンクに収容される。また、ラジエータ内が所定の負圧になったときには、リザーブタンク内の流体が通路を通り、さらに加圧プレートの上部吸引孔とガスケットの下部吸引孔とを通過してラジエータ内に吸引される。この場合、リザーブタンクが本発明に係る外部となる。
【００２３】
また、完全密閉式ラジエータ装置のリザーブタンクにラジエータキャップを取り付けたときには、ラジエータとリザーブタンクとの内部が所定の高圧になったときに、リザーブタンク内の水蒸気や空気からなる流体が、細径部とガスケットとの間を通過して通路から外部に放出される。そして、ラジエータとリザーブタンクとの内部が所定の負圧になったときには、外部の空気が、通路を通り、さらに加圧プレートの上部吸引孔とガスケットの下部吸引孔とを通過してリザーブタンク内に吸引される。この場合の本発明に係る外部は大気中となる。本発明によると、ラジエータやリザーブタンクの破損を防止できるとともに、ラジエータを適正な状態で作動させてエンジンのオーバーヒートを防止することができる。
【図面の簡単な説明】
【００２４】
【図１】本発明の第１実施形態に係るラジエータキャップが取り付けられたラジエータとリザーブタンクとからなる簡易密閉式ラジエータ装置をエンジンに接続した状態を示した概略図である。
【図２】ラジエータキャップが注水口に取り付けられた状態を示した断面図である。
【図３】下部リテーナの加圧プレートを示した下面図である。
【図４】ガスケットを示した平面図である。
【図５】上部吸引孔の位置を示したガスケットの下面図である。
【図６】高圧時に開弁した状態を示した断面図である。
【図７】負圧時に開弁した状態を示した断面図である。
【図８】第１変形例に係るラジエータキャップが注水口に取り付けられた状態を示した断面図である。
【図９】図８に示したラジエータキャップが負圧時に開弁した状態を示した断面図である。
【図１０】第２変形例に係るラジエータキャップが注水口に取り付けられた状態を示した断面図である。
【図１１】図１０に示したラジエータキャップが負圧時に開弁した状態を示した断面図である。
【図１２】第３変形例に係るラジエータキャップが注水口に取り付けられた状態を示した断面図である。
【図１３】第４変形例に係るラジエータキャップが注水口に取り付けられた状態を示した断面図である。
【図１４】第２実施形態に係るラジエータキャップが注水口に取り付けられた状態を示した断面図である。
【図１５】図１４に示したラジエータキャップが負圧時に開弁した状態を示した断面図である。
【図１６】第２実施形態の変形例に係るラジエータキャップが注水口に取り付けられた状態を示した断面図である。
【図１７】本発明の第３実施形態に係るラジエータキャップが取り付けられたリザーブタンクとラジエータとからなる完全密閉式ラジエータ装置をエンジンに接続した状態を示した概略図である。
【発明を実施するための形態】
【００２５】
（第１実施形態）
以下、本発明の第１実施形態を図面を用いて説明する。図１は、同実施形態に係るラジエータキャップ２０が取り付けられたラジエータ１０とリザーブタンク１１とからなる簡易密閉式ラジエータ装置を、エンジン１２に接続した状態を示している。ラジエータ１０の下部とエンジン１２の内部に設けられた冷却水路（図示せず）との間は、冷却水配管１３ａで接続されており、冷却水配管１３ａの中間部にウォーターポンプ１４が設けられている。すなわち、冷却水配管１３ａは、ラジエータ１０からウォーターポンプ１４に延び、さらにウォーターポンプ１４からエンジン１２内の冷却水路の入口に向かって延びている。
【００２６】
また、エンジン１２の冷却水路の出口とラジエータ１０の上部との間は、エンジン１２を冷却した冷却水をエンジン１２の冷却水路からラジエータ１０に送る冷却水配管１３ｂで接続されている。このため、ウォーターポンプ１４が作動すると、ラジエータ１０内の冷却水が冷却水配管１３ａを通ってエンジン１２の冷却水路に送られエンジン１２を冷却する。そして、エンジン１２を冷却することによって熱を吸収した冷却水は、冷却水配管１３ｂを通ってラジエータ１０に戻され、ラジエータ１０内を通過する。その間に、冷却水は、ラジエータ１０に設けられた前後に貫通する複数の隙間を通過する風によって冷却される。その際の冷却は、ラジエータ１０に設けられたフィンによってより効果的に行われる。
【００２７】
また、ラジエータ１０の上端部には注水口１５が形成されており、リザーブタンク１１は、本発明に係る通路としてのオーバーフローパイプ１６によってラジエータ１０の注水口１５に接続されている。エンジン１２から戻される加熱された冷却水によってラジエータ１０内の温度が上昇し、そのためラジエータ１０内の冷却水や水蒸気が膨張して圧力が上昇すると、ラジエータ１０内の膨張した冷却水や水蒸気がリザーブタンク１１に放出される。これによって、ラジエータ１０内の圧力が異常に高くなることが防止される。また、ラジエータ１０内の温度が低下し、そのためラジエータ１０内の冷却水や水蒸気が収縮して負圧になると、リザーブタンク１１内の冷却水や水蒸気がラジエータ１０内に吸引される。これによって、ラジエータ１０内の圧力が異常に低くなることが防止される。
【００２８】
ラジエータ１０の注水口１５は、図２に示したように、略円筒状に形成されており、その内周面の上部に、ねじ１５ａが形成されている。また、注水口１５の内部側下部には、注水口１５の内周面と間隔を保って円筒状の加圧シール部１５ｂが形成されている。この加圧シール部１５ｂの内周面は、下部側から上部側にいくほど直径が大きくなるテーパ面で構成されている。また、加圧シール部１５ｂは、ねじ１５ａよりも下方に位置しており、加圧シール部１５ｂの下端部は注水口１５の下部に連結されている。このため、ラジエータ１０の内部は、加圧シール部１５ｂの内部、注水口１５の上部空間および注水口１５の内周面と加圧シール部１５ｂの外周面との間を介してオーバーフローパイプ１６に連通している。この加圧シール部１５ｂで本発明に係る細径部が構成される。なお、ラジエータ１０およびリザーブタンク１１は、それぞれ樹脂材料で構成されている。
【００２９】
この注水口１５に取り付けられるラジエータキャップ２０は、キャップ本体２１と、上部リテーナ２２と、下部リテーナ２３と、加圧ばね２４と、ガスケット２５と、バルブシーム２６とで構成されている。キャップ本体２１は、樹脂を一体成形した部材で構成されており、円板状の天井部２１ａと、天井部２１ａの周縁部から下方に延びる環状の周壁部２１ｂと、周壁部２１ｂの内周面と間隔を保って天井部２１ａの下面から下方に延びる環状の係合部２１ｃとからなっている。係合部２１ｃの上下方向の長さは、周壁部２１ｂの上下方向の長さよりも短くなっており、このため、周壁部２１ｂの下端部は、係合部２１ｃの下端部よりも下方に突出している。
【００３０】
係合部２１ｃの外周面には、注水口１５のねじ１５ａに螺合できるねじ２１ｄが形成されており、このねじ２１ｄとねじ１５ａとの螺合により、注水口１５にラジエータキャップ２０を着脱可能に取り付けることができる。注水口１５にラジエータキャップ２０を取り付けたときには、注水口１５の上部は、周壁部２１ｂと係合部２１ｃとの間に位置する。また、係合部２１ｃの内周面下部には、内部側に突出する複数の係合段部２１ｅが係合部２１ｃの内周に沿って一定間隔で形成されている。この係合段部２１ｅは下部側から上部側にいくほど肉厚になっており、このため係合段部２１ｅの内面はテーパ面で構成されている。また、図示していないが、キャップ本体２１の天井部２１ａの上面には、レーザー印字によって、商品名や警告内容などが表示されている。
【００３１】
上部リテーナ２２は、樹脂材料で構成されており、ばね支持部２２ａと、ばね支持部２２ａの下部に設けられた円筒部２２ｂとを備えている。ばね支持部２２ａは、キャップ本体２１の係合部２１ｃの内部に入ることができる大きさの環状体で構成されており、その下面に下方が開口した環状支持溝２２ｃが、ばね支持部２２ａの環状に沿って形成されている。また、ばね支持部２２ａの外周部には、円周方向に一定間隔を保って下端が開放された凹部（図示せず）が形成されており、この凹部を形成することによって、ばね支持部２２ａの外周部には可撓性が備わっている。さらに、ばね支持部２２ａの外周部は、下部側から上部側にいくほど薄肉になっており、これによってばね支持部２２ａの外周面はテーパ状に形成されている。このため、ばね支持部２２ａの外周部の下端部は、係合部２１ｃの内周面下部に形成された係合段部２１ｅに係合できる。
【００３２】
上部リテーナ２２は、ばね支持部２２ａを係合部２１ｃの内部に押し込んで、ばね支持部２２ａの外周下端部を係合段部２１ｅに係合させることにより、キャップ本体２１に組み付けられている。さらに、ばね支持部２２ａの上面における環状支持溝２２ｃに対応する部分には、環状支持溝２２ｃに沿った環状突部２２ｄが形成されており、この環状突部２２ｄがキャップ本体２１の天井部２１ａに当接している。また、円筒部２２ｂの外周面の下端には、外側に突出する複数の係合段部２２ｅが円周方向に間隔を保って形成されている。この係合段部２２ｅは、下部側から上部側にいくほど肉厚になっており、これによって、係合段部２２ｅの外面はテーパ状に形成されている。
【００３３】
下部リテーナ２３は、樹脂材料で構成されており、加圧プレート２３ａと、加圧プレート２３ａの上部に設けられた摺動連結部２３ｂとを備えている。加圧プレート２３ａは、図３（下面）に示したように、中央に上下に貫通する本発明に係る上部中心穴としての中心穴２３ｃが形成され、その中心穴２３ｃと外周縁部との略中央に、上下に貫通し平面視が円弧状になった４つの上部吸引孔２３ｄが円周方向に一定間隔を保って形成されている。また、加圧プレート２３ａの下面における中心穴２３ｃから少し外周側の部分には、上下方向の長さ（深さ）が短い凹部２７が円周に沿って形成されている。この凹部２７を形成する空間の外周部分は上部吸引孔２３ｄに連通している。
【００３４】
そして、凹部２７の外周に下方に突出する断面形状が逆三角形の環状突部２７ａが円周に沿って形成され、環状突部２７ａの外周に断面形状が三角形の環状凹部２７ｂが円周に沿って形成されている。環状突部２７ａの下端部は、加圧プレート２３ａの下面よりも僅かに下方に突出し、環状凹部２７ｂの上端は、凹部２７の上面と略同じ高さになっている。摺動連結部２３ｂは、横断面形状が円弧状の４つの板状部分を円周方向に間隔を保って配置することにより略円筒状に形成されており、上部リテーナ２２の円筒部２２ｂを覆うようにして配置されている。また、摺動連結部２３ｂの内面上端の一部には、内側に突出する係合段部２３ｅが形成されている。この係合段部２３ｅは、下部側から上部側にいくほど薄肉になっており、これによって、係合段部２３ｅの内面はテーパ状に形成されている。
【００３５】
下部リテーナ２３は、円筒部２２ｂを摺動連結部２３ｂの内部に押し込ませて、係合段部２３ｅを係合段部２２ｅの上方に位置させることにより、摺動連結部２３ｂが円筒部２２ｂから外れることを防止した状態で上部リテーナ２２に組み付けられている。このため、下部リテーナ２３は、摺動連結部２３ｂの上端部が、ばね支持部２２ａに当接するか、または、円筒部２２ｂの下端部が加圧プレート２３ａに当接する上昇位置と、係合段部２３ｅが係合段部２２ｅに係合する下降位置との間で、上部リテーナ２２に対して昇降できる。
【００３６】
そして、互いに組み付けられた円筒部２２ｂと摺動連結部２３ｂとの外周に金属製のコイルばねからなる加圧ばね２４が取り付けられている。加圧ばね２４の上端は、上部リテーナ２２の環状支持溝２２ｃ内に係合し、加圧ばね２４の下端は、加圧プレート２３ａの上面に当接している。この加圧ばね２４によって、下部リテーナ２３は、キャップ本体２１および上部リテーナ２２に対して下方に付勢されている。また、前述した下部リテーナ２３の上昇位置は、加圧ばね２４が最少長さまで収縮した位置で規制されるようにしてもよい。
【００３７】
ガスケット２５は、ゴムからなる円板体で構成されており、加圧プレート２３ａの下面に設置されている。このガスケット２５は、図４に示したように、中央に上下に貫通する本発明の下部中心穴としての中心穴２５ａが形成され、外周側に上下に貫通する６つの円形の下部吸引孔２５ｂが円周方向に間隔を保って形成されている。このガスケット２５は、図５に示したように、下部吸引孔２５ｂの位置を上部吸引孔２３ｄの位置と径方向にずらした状態で、加圧プレート２３ａの下面に設置され、加圧ばね２４の付勢力によって、注水口１５の加圧シール部１５ｂの上端部に押し付けられている。
【００３８】
この場合、ガスケット２５の外周部２５ｃが加圧シール部１５ｂの上端部に当接してラジエータ１０を閉塞する。また、ガスケット２５は、加圧プレート２３ａの下面に接面することにより、上部吸引孔２３ｄと凹部２７とを塞いでおり、この場合、本発明に係る上部吸引孔は、上部吸引孔２３ｄと凹部２７とで構成される。なお、ガスケット２５の中心穴２５ａの直径は、加圧プレート２３ａの中心穴２３ｃの直径よりも僅かに大きく設定されている。
【００３９】
バルブシーム２６は、ガスケット２５を加圧プレート２３ａの下面に固定するための部材であり、樹脂の成形体で構成されている。このバルブシーム２６は、円形板状の支持部２６ａと、支持部２６ａの上面中央から上方に延びる一対の突起からなる割ピン部２６ｂとを備えており、割ピン部２６ｂの両外面の上部にはそれぞれテーパ状の係合部２６ｃが形成されている。割ピン部２６ｂは、加圧プレート２３ａの中心穴２３ｃと、ガスケット２５の中心穴２５ａとを挿通し、支持部２６ａは、ガスケット２５の下面に位置してガスケット２５を支持する。また、係合部２６ｃは、加圧プレート２３ａの中心穴２３ｃから上方に突出して加圧プレート２３ａの上面に係合している。このため、ガスケット２５の中央部は、加圧プレート２３ａの中央部に固定されている。
【００４０】
このバルブシーム２６で本発明に係る軸状組付部材が構成される。なお、キャップ本体２１、上部リテーナ２２、下部リテーナ２３およびバルブシーム２６を構成する樹脂材料としては、ポリアミド樹脂、ポリフェニレンサルファイド樹脂、ポリプロピレン樹脂、ポリアミド樹脂などを用いることがでる。また、ガスケット２５を構成するゴムとしては、シリコンゴム、水素アクリロニトル・ブタジエンゴム、ニトリルゴム、エチレンプロピレンゴムなどのゴムやエラストマ樹脂などを用いることができる。
【００４１】
この構成において、エンジン１２の作動により、エンジン１２の温度が上昇して、サーモスタット（図示せず）が作動すると、ウォーターポンプ１４が作動する。これによって、ラジエータ１０内の冷却水は、冷却水配管１３ａを通ってエンジン１２の冷却水路に送られエンジン１２を冷却する。そして、エンジン１２を冷却した冷却水は、冷却水配管１３ｂを通ってラジエータ１０に戻る。このエンジン１２から戻る加熱された冷却水によってラジエータ１０内の温度が、常温から９０℃程度の範囲で上昇し、冷却水は膨張する。これによって、ラジエータ１０内の圧力は上昇していく。
【００４２】
このとき、ガスケット２５はラジエータ１０内の圧力によって加圧プレート２３ａに押し付けられ、ガスケット２５の上面における環状突部２７ａに対向する部分が、環状突部２７ａに圧接する。これによって、ラジエータ１０は密閉状態に維持される。そして、ラジエータ１０内の圧力がさらに上昇して、例えば、１０８ｋＰａに達すると、ラジエータ１０内の圧力が加圧ばね２４の付勢力に抗してガスケット２５を下部リテーナ２３およびバルブシーム２６とともに上昇させる。
【００４３】
これによって、図６に示したように、加圧シール部１５ｂとガスケット２５との間に隙間が生じて、ラジエータ１０内の膨張した冷却水や水蒸気が、矢印ａで示したように、加圧シール部１５ｂの内部空間と、加圧シール部１５ｂとガスケット２５との隙間とを通過していく。そして、その冷却水や水蒸気は、オーバーフローパイプ１６を通過してリザーブタンク１１内に放出される。これにより、ラジエータ１０内の圧力が異常に高くなってラジエータ１０が破損することが防止される。
【００４４】
また、エンジン１２の停止などにより、ラジエータ１０内の温度が低下し、そのためラジエータ１０内の圧力が負圧になると、その負圧によってガスケット２５は下部リテーナ２３とともにラジエータ１０の内部側に吸引される。このとき、ガスケット２５の外周部２５ｃが、加圧シール部１５ｂにより強固に圧接して、ラジエータ１０は密閉状態に維持される。
【００４５】
そして、ラジエータ１０内の圧力がさらに低下して、例えば、５ｋＰａに達すると、ラジエータ１０内の負圧がガスケット２５の弾性力に抗してガスケット２５における環状突部２７ａに対向する部分およびその近傍部分を下方に向かって撓ませる。これによって、図７に示したように、加圧プレート２３ａの上部吸引孔２３ｄとガスケット２５の下部吸引孔２５ｂとが凹部２７を介して連通し、リザーブタンク１１からオーバーフローパイプ１６を通過して送られる冷却水や水蒸気が、矢印ｂで示したように、ラジエータ１０内に吸引される。この場合、冷却水や水蒸気は、オーバーフローパイプ１６から注水口１５の上部空間を通過して上部吸引孔２３ｄに進む。これによって、ラジエータ１０内の圧力が異常に低くなってラジエータ１０が破損することが防止される。
【００４６】
以上のように、本実施形態に係るラジエータキャップ２０では、ガスケット２５をゴムで構成し、このガスケット２５を下部リテーナ２３の加圧プレート２３ａを介して加圧ばね２４で加圧シール部１５ｂに押し付けることによりラジエータ１０を閉塞するようにしている。このため、ラジエータ１０内の圧力が加圧ばね２４の押圧力よりも小さいときには、ラジエータ１０は閉塞状態に維持される。この場合、ラジエータ１０内は適度な高圧になって、冷却水が沸騰することを防止され、気泡を含まない冷却水がエンジン１２に送られることで、エンジン１２の冷却が適正に行われる。これによって、エンジン１２の作動は適正状態に維持される。
【００４７】
そして、ラジエータ１０内の圧力が所定の値以上になると、ラジエータ１０内の圧力によってガスケット２５は下部リテーナ２３とともに、加圧ばね２４の押圧力に抗して上昇し、ラジエータ１０内の冷却水や水蒸気がリザーブタンク１１内に放出される。また、ラジエータ１０内が負圧で、その負圧が、ガスケット２５を変形させるために必要な力よりも小さいときには、ラジエータ１０は閉塞状態に維持される。そして、ラジエータ１０内の負圧が、ガスケット２５を変形させるために必要な負圧よりもさらに小さくなると、ラジエータ１０内からの吸引力によってガスケット２５の一部が変形して上部吸引孔２３ｄと下部吸引孔２５ｂとが連通し、リザーブタンク１１内の冷却水や水蒸気がラジエータ１０内に吸引される。
【００４８】
このように、ラジエータ１０内の圧力に応じて、ラジエータ１０内から冷却水や水蒸気をリザーブタンク１１に放出したり、リザーブタンク１１から冷却水や水蒸気を吸引したりすることにより、ラジエータ１０内の圧力を一定の範囲に調整することができ、これによって、ラジエータ１０が破損することを防止できる。また、本実施形態に係るラジエータキャップ２０では、上部吸引孔２３ｄと下部吸引孔２５ｂとの間を連通させたり閉塞させたりするために、ばねやそのばねを取り付けるための部材を用いないため、ラジエータキャップ２０を構成する部品の点数が少なくなるとともに、ラジエータキャップ２０の構造が単純になる。なお、ガスケット２５の弾性は、ガスケット２５を構成するゴム材料の硬度や厚みを適宜設定することによって調整する。
【００４９】
また、上部吸引孔２３ｄを、円周方向に間隔を保って形成された平面視が円弧状の複数の孔で構成し、下部吸引孔２５ｂを、円周方向に間隔を保って形成された平面視が円形の複数の孔で構成している。そして、上部吸引孔２３ｄと下部吸引孔２５ｂとの位置をずらしてガスケット２５を加圧プレート２３ａに組み付けている。このため、ラジエータ１０内が負圧のときに、リザーブタンク１１から流れてくる冷却水や水蒸気が円周方向の一部に偏ることなく均等に分散して上部吸引孔２３ｄを通過するようになる。これによって、ラジエータ１０内の負圧が一定になった時に正確に開弁が開始するようになる。
【００５０】
また、ラジエータ１０内の圧力がリザーブタンク１１内の圧力よりも大きいときに、下部吸引孔２５ｂを介して加圧プレート２３ａを上昇させようとする力よりもガスケット２５を加圧プレート２３ａに押し付ける力の方が大きくなるため、ガスケット２５と加圧プレート２３ａとの間を確実に閉塞できる。また、ラジエータ１０内が負圧のときには、ガスケット２５における下部吸引孔２５ｂの近傍部分が下方に撓んで、上部吸引孔２３ｄを通過して流れてくる冷却水や水蒸気は下部吸引孔２５ｂを通ってラジエータ１０内に吸引される。
【００５１】
（第１変形例）
図８および図９は、前述したラジエータキャップ２０の第１変形例に係るラジエータキャップ３０を示している。このラジエータキャップ３０は、前述したラジエータキャップ２０の上部リテーナ２２と下部リテーナ２３と加圧ばね２４とに変形を加えたものであり、このラジエータキャップ３０では、上部リテーナ３２は、天井部３２ａと、係合筒状部３２ｂと、円筒部３２ｃとで構成されている。天井部３２ａは略円板状に形成されており、その下面の中心と外周部との略中央に下方に延びる係合筒状部３２ｂが形成され、係合筒状部３２ｂの内部に、係合筒状部３２ｂよりも直径および上下方向の長さが短くなった円筒部３２ｃが形成されている。
【００５２】
そして、この上部リテーナ３２では、天井部３２ａ、係合筒状部３２ｂおよび円筒部３２ｃで囲まれる部分に環状支持溝３２ｄが形成されている。すなわち、この環状支持溝３２ｄを形成する部分でばね支持部が構成される。また、係合筒状部３２ｂの下端には、外側に突出したのちに屈曲して上方に延びる複数の係合片３２ｅが円周方向に間隔を保って形成されており、この係合片３２ｅの外周面における上下方向の中央部に係合段部３２ｆが形成されている。この係合段部３２ｆは、下部側から上部側にいくほど肉厚になっており、これによって、係合段部３２ｆの外面はテーパ状に形成されている。また、天井部３２ａの上面には、直径の異なる２つの環状突部３２ｇ，３２ｈが中心部を一致させて形成されている。
【００５３】
下部リテーナ３３は、加圧プレート３３ａと、加圧プレート３３ａの上部にそれぞれ設けられた摺動連結部３３ｂと、ばね支持部３３ｃとを備えている。摺動連結部３３ｂは、横断面形状が円弧状の４つの板状部分を円周方向に間隔を保って配置することにより略円筒状に形成されており、内面上端の一部には、内側に突出する係合段部３３ｄが形成されている。ばね支持部３３ｃは、円筒部３２ｃと同じ直径の円筒体で構成されている。そして、加圧ばね３４は、上端部を円筒部３２ｃの外周部に係合させ、下端部をばね支持部３３ｃの外周部に係合させている。
【００５４】
すなわち、前述した第１実施形態では、加圧ばね２４が、円筒部２２ｂや摺動連結部２３ｂの外周側に設けられているのに対し、この変形例では、加圧ばね３４が、係合筒状部３２ｂや摺動連結部３３ｂの内周側に設けられており、加圧ばね３４の直径は加圧ばね２４の直径よりも小さくなっている。なお、この変形例では、天井部３２ａに穴が設けられているがこの穴は、上部リテーナ３２を上下に配置された金型で成形する際に、係合片３２ｅおよび係合段部３２ｆを形成するために設けたものである。
【００５５】
この変形例のそれ以外の部分の構成については、前述した第１実施形態と同じである。したがって、同一部分に同一符号を記して説明は省略する。このラジエータキャップ３０によると、上部リテーナ３２の成形を、横方向に移動する金型を用いることなく上下方向に移動する金型だけの使用で行えるようになるため、１回の成形で成形できる上部リテーナ３２の数を増やすことができ、成形における歩留まりが向上する。このラジエータキャップ３０のそれ以外の作用効果は、前述したラジエータキャップ２０と同様である。なお、図８は、ラジエータキャップ３０が閉弁した状態を示し、図９は、ラジエータキャップ３０が負圧時に開弁した状態を示している。
【００５６】
（第２変形例）
図１０および図１１は、第２変形例に係るラジエータキャップ４０を示している。このラジエータキャップ４０は、前述した第１変形例のラジエータキャップ３０の下部リテーナ３３に変形を加えたものであり、このラジエータキャップ４０の下部リテーナ４３には、下部リテーナ３３に備わっている上部吸引孔２３ｄに相当する上部吸引孔は備わっていない。そして、このラジエータキャップ４０では、下部リテーナ４３の加圧プレート４３ａに形成された中心穴４３ｃが上部吸引孔として機能する。
【００５７】
この変形例のそれ以外の部分の構成については、前述した第１変形例のラジエータキャップ３０と同じである。したがって、同一部分に同一符号を記して説明は省略する。なお、図１０は、ラジエータキャップ４０が閉弁した状態を示し、図１１は、ラジエータキャップ４０が負圧時に開弁した状態を示している。図１１に示した負圧時の開弁の際には、冷却水や水蒸気は、中心穴４３ｃから下部吸引孔２５ｂを通過してラジエータ１０内に吸引される。また、この変形例では、上部吸引孔２３ｄに相当する上部吸引孔が設けられていないため、下部リテーナ４３を成形する際に、加圧プレート４３ａにヒケやウェルドによるうねりが生じることが防止される。これによって、ガスケット２５と下部リテーナ４３との間のシール性が向上する。このラジエータキャップ４０のそれ以外の作用効果は、前述したラジエータキャップ２０，３０と同様である。
【００５８】
（第３変形例）
図１２は、第３変形例に係るラジエータキャップ５０を示している。このラジエータキャップ５０は、前述した第１変形例のラジエータキャップ３０のガスケット２５に変形を加えたものであり、このラジエータキャップ５０のガスケット５５の下面における内周側と外周側とを除いた部分には、凹部５５ａが円周に沿って形成されている。この変形例のそれ以外の部分の構成については、前述した第１変形例のラジエータキャップ３０と同じである。したがって、同一部分に同一符号を記して説明は省略する。
【００５９】
このラジエータキャップ５０によると、凹部５５ａを設けることによってガスケット５５が撓みやすくなるため、負圧時の開弁が安定したものになる。また、加圧シール部１５ｂに押し付けられることによってガスケット５５の外周部にひずみが生じても、そのひずみが凹部５５ａに伝わりにくくなる。これによって、負圧時の開弁が安定したものになる。このラジエータキャップ５０のそれ以外の作用効果は、前述したラジエータキャップ２０，３０と同様である。
【００６０】
（第４変形例）
図１３は、第４変形例に係るラジエータキャップ６０を示している。このラジエータキャップ６０は、前述した第３変形例のラジエータキャップ５０の下部リテーナ３３とガスケット５５とに変形を加えたものである。このラジエータキャップ６０の下部リテーナ６３では、上部吸引孔６３ｄが、加圧プレート６３ａにおける摺動連結部６３ｂとばね支持部６３ｃとの中間部分に位置するように形成されている。また、加圧プレート６３ａの下面における内周側と外周側とを除いた部分には、凸部６３ｃが円周に沿って形成されている。そして、ガスケット６５の下面と上面とには、それぞれ、上下方向の長さ（深さ）が短い凹部６５ａ，６５ｂが円周に沿って形成されている。
【００６１】
なお、凹部６５ｂの内部には、凸部６３ｃが入り、凹部６５ｂの上面と凸部６３ｃの下面とは接面している。この変形例のそれ以外の部分の構成については、前述した第３変形例のラジエータキャップ５０と同じである。したがって、同一部分に同一符号を記して説明は省略する。このラジエータキャップ６０によると、ガスケット６５が撓みやすくなる。また、ガスケット６５が上下対称に形成されているため、どちらに向けてもよくなり、組付けが容易になる。このラジエータキャップ６０のそれ以外の作用効果は、前述したラジエータキャップ５０と同様である。
【００６２】
（第２実施形態）
図１４および図１５は、本発明の第２実施形態に係るラジエータキャップ７０を示している。このラジエータキャップ７０では、ガスケット７５に中心穴が設けられていない。また、軸状組付部材としてのバルブシームも備わっていない。そして、下部リテーナ７３の加圧プレート７３ａの外周部と、ガスケット７５の外周部とがリング状組付部材７６によって組み付けられている。このリング状組付部材７６は、加圧プレート７３ａとガスケット７５の合計の厚みよりも少し長い上下方向の長さを備えたリング本体７６ａと、リング本体７６ａの下端から内部側に向かって突出するフランジ部７６ｂとを備えている。そして、リング本体７６ａの上部には、周方向に間隔を保って複数の係合爪７６ｃが形成されている。
【００６３】
係合爪７６ｃは、リング本体７６ａの一部を、例えば、幅の広いＵ字状に切り欠いて下部側をリング本体７６ａの内部側に折り曲げることにより形成することができ、テーパ状に形成されている。このため、加圧プレート７３ａの下面に、ガスケット７５を合わせ、リング状組付部材７６を、加圧プレート７３ａとガスケット７５の外周側に下方から押し上げて組み付けることにより、加圧プレート７３ａにガスケット７５を組み付けることができる。この場合、フランジ部７６ｂがガスケット７５の下面に係合し、係合爪７６ｃの下端部が加圧プレート７３ａの上面に係合する。このラジエータキャップ７０のそれ以外の部分の構成は、図１０および図１１に示したラジエータキャップ４０と同じである。したがって、同一部分に同一符号を記して説明は省略する。
【００６４】
なお、図１４は、ラジエータキャップ７０が閉弁した状態を示し、図１５は、ラジエータキャップ７０が負圧時に開弁した状態を示している。図１５に示した負圧時の開弁の際には、冷却水や水蒸気は、中心穴４３ｃから下部吸引孔２５ｂを通過してラジエータ１０内に吸引される。このとき、ガスケット７５は、中央部分が下方に突出するように撓む。このため、加圧プレート７３ａの下面に形成されている環状突部を大きくすることができ、これによると、加圧時の加圧プレート７３ａとガスケット７５との間のシール性が向上する。このラジエータキャップ４０のそれ以外の作用効果は、前述したラジエータキャップ４０と同様である。
【００６５】
（第５変形例）
図１６は、前述した第１実施形態の変形例に係るラジエータキャップ８０を示している。このラジエータキャップ８０は、前述したラジエータキャップ７０の上部リテーナ３２と下部リテーナ３３と加圧ばね３４とに変形を加えたものであり、このラジエータキャップ８０では、上部リテーナ８２は、天井部８２ａと、係合筒状部８２ｂと、ばね支持部８２ｃとで構成されている。天井部８２ａの下面の中心側に下方に延びる係合筒状部８２ｂが形成され、係合筒状部８２ｂの外部に、複数のばね支持部８２ｃが円周に沿って形成されている。
【００６６】
この上部リテーナ８２では、天井部８２ａの下面と、ばね支持部８２ｃの外周面とでばね支持部が構成される。また、係合筒状部８２ｂには、外側面に係合段部８２ｆが設けられた複数の係合片８２ｅが備わっている。下部リテーナ８３は、加圧プレート８３ａと、加圧プレート８３ａの大径に形成された中心穴８３ｃの周縁部から上方に向かって設けられた摺動連結部８３ｂとを備えている。摺動連結部８３ｂは、横断面形状が円弧状の４つの板状部分を円周方向に間隔を保って配置することにより略円筒状に形成されており、内面上端の一部には、内側に突出する係合段部８３ｄが形成されている。そして、加圧ばね８４が、上端部をばね支持部８２ｃの外周部に係合させ、下端部を加圧プレート８３ａの上面に位置させて取り付けられている。
【００６７】
すなわち、このラジエータキャップ８０では、加圧ばね８４が、摺動連結部８３ｂの外周側に設けられている。また、ガスケット８５は、加圧プレート８３ａの中心穴８３ｃに位置する部分の上面および下面に膨出部８５ａ，８５ｂが形成された円板状に形成されている。膨出部８５ａの上面は中央側が外周側のよりも上方に突出する曲面に形成され、膨出部８５ｂの下面は中央側が外周側のよりも下方に突出する曲面に形成されている。また、加圧開弁時に、ガスケット８５が、下部リテーナ８３とともに上昇すると、上部に位置する膨出部８５ａが係合筒状部８２ｂの下端部に当接する。この変形例のそれ以外の部分の構成については、前述した第２実施形態と同じである。したがって、同一部分に同一符号を記して説明は省略する。
【００６８】
このラジエータキャップ８０によると、加圧開弁時に、ガスケット８５が上昇して、膨出部８５ａが係合筒状部８２ｂの下端部に当接すると、ガスケット８５は加圧プレート８３ａから離れるようになる。これによって、冷却水や水蒸気は、ガスケット８５と加圧シール部１５ｂとの間だけでなく、下部吸引孔２５ｂからも出ていくようになる。また、加圧開弁時に、ガスケット８５が加圧プレート８３ａから離れることによって、ガスケット８５が加圧プレート８３ａに固着することが防止され、負圧開弁時の動作が安定したものになる。さらに、ガスケット８５が上下対称に形成されているため、どちらに向けてもよくなり、組付けが容易になる。このラジエータキャップ８０のそれ以外の作用効果は、前述したラジエータキャップ７０の作用効果と同様である。
【００６９】
（第３実施形態）
図１７は、本発明の第３実施形態を示しており、この実施形態では、前述したラジエータキャップ２０が用いられる。このラジエータキャップ２０は、完全密閉式ラジエータ装置に備わったリザーブタンク９１に取り付けられている。この完全密閉式ラジエータ装置は、ラジエータ９０の上部を、オーバーフローパイプ９６でリザーブタンク９１の上部に接続して構成されている。また、ラジエータ９０は、前述した第１実施形態と同様に、冷却水配管１３ａ，１３ｂおよびウォーターポンプ１４を介してエンジン１２に接続されている。リザーブタンク９１内の下部には冷却水が収容され、リザーブタンク９１内の上部は空間になっている。そして、リザーブタンク９１の下部からは、２本の連結パイプ９７，９８が外部に延びており、連結パイプ９７の先端は、ウォーターポンプ１４に連結され、連結パイプ９８の先端は、冷却水配管１３ｂに連結されている。
【００７０】
また、リザーブタンク９１の上端には、側部に通気孔（図示せず）が形成された注水口９５が設けられており、この注水口９５にラジエータキャップ２０が取り付けられる。なお、この実施形態では、注水口９５の側部に設けられた通気孔で本発明に係る通路が構成され、大気中で本発明に係る外部が構成される。この実施形態では、ラジエータ９０とリザーブタンク９１との圧力が所定値を超えたときに、リザーブタンク９１内の水蒸気がラジエータキャップ２０から大気中に放出され、ラジエータ９０とリザーブタンク９１との圧力が所定の負圧になったときに、大気中の空気がラジエータキャップ２０からリザーブタンク９１の内部に吸引される。
【００７１】
このときのラジエータキャップ２０作動は、前述した第１実施形態と同一になる。すなわち、前述した第１実施形態では、主として冷却水がラジエータ１０とリザーブタンク１１との間を行き来するが、本実施例では、水蒸気がラジエータ９０とリザーブタンク９１との間を行き来する点が異なっている。この実施形態によっても前述した第１実施形態と同様の作用効果を得ることができる。また、本実施形態において、ラジエータキャップ２０に代えて、前述したラジエータキャップ３０，４０，５０，６０，７０，８０のいずれかを用いてもよい。
【００７２】
また、本発明に係るラジエータキャップは、前述した実施形態に限定するものでなく、適宜変更して実施することができる。例えば、前述した実施形態では、ラジエータキャップ２０に含まれるキャップ本体２１、上部リテーナ２２、下部リテーナ２３およびバルブシーム２６などの各部材を樹脂材料としているが、これは、ラジエータ１０，９０の注水口１５，９５を構成する材料に対応させたためであり、注水口１５，９５を金属で構成した場合には、キャップ本体２１等も金属で構成してもよい。
【００７３】
また、上部吸引孔２３ｄ、６３ｄおよび下部吸引孔２５ｂの形状も前述した各実施形態に限定するものでなく、半円形、三角形、四角形、楕円形、三日月形など適宜変更することができる。さらに、環状突部２７ａの断面形状も逆三角形に限らず、半円形、逆台形および波形などの種々の形状にすることができる。また、本発明に係るラジエータキャップのそれ以外の部分の構成についても、本発明の技術的範囲内で適宜変更することができる。
【符号の説明】
【００７４】
１０，９０…ラジエータ、１１、９１…リザーブタンク、１５，９５…注水口、１５ｂ…加圧シール部、１６、９６…オーバーフローパイプ、２０，３０，４０，５０，６０，７０，８０…ラジエータキャップ、２１…キャップ本体、２３、３３、４３、６３、７３、８３…下部リテーナ、２３ａ、３３ａ、４３ａ、６３ａ、７３ａ、８３ａ…加圧プレート、２３ｃ、２５ａ、４３ｃ、８３ｃ…中心穴、２３ｄ、６３ｄ…上部吸引孔、２５、５５、６５、７５…ガスケット、２５ｂ…下部吸引孔、２６…バルブシーム、７６…リング状組付部材。
【図１】
2013185445.tif 000003
【図２】
2013185445.tif 000004
【図３】
2013185445.tif 000005
【図４】
2013185445.tif 000006
【図５】
2013185445.tif 000007
【図６】
2013185445.tif 000008
【図７】
2013185445.tif 000009
【図８】
2013185445.tif 000010
【図９】
2013185445.tif 000011
【図１０】
2013185445.tif 000012
【図１１】
2013185445.tif 000013
【図１２】
2013185445.tif 000014
【図１３】
2013185445.tif 000015
【図１４】
2013185445.tif 000016
【図１５】
2013185445.tif 000017
【図１６】
2013185445.tif 000018
【図１７】
2013185445.tif 000019